(57)【特許請求の範囲】
【請求項１】
ハウジングを備え、前記ハウジングの内部には、外部交流電力を異なる直流電力に変換し且つバッテリ充放電制御ユニットを備える電源機能モジュールが設置され、前記ハウジングには、さらにバッテリ又は少なくとも１つのファンを選択的に設置するための収容部が形成され、
前記収容部にバッテリを設置する場合、前記バッテリは前記バッテリ充放電制御ユニットに電気的に接続されて、前記電源機能モジュールは前記バッテリに対して充電することができ、前記バッテリは接続線によって不揮発性メモリに電力供給し、
前記収容部に少なくとも１つのファンを設置する場合、前記ファンは前記電源機能モジュールに電気的に接続されて、前記電源機能モジュールは前記ファンに電力供給することを特徴とする電力供給装置。
【請求項２】
前記収容部の底壁には複数の貫通孔が設けられ、前記バッテリ又は前記ファンの電源線は前記収容部の底壁の貫通孔によって前記電源機能モジュールに接続されることを特徴とする請求項１に記載の電力供給装置。
【請求項３】
前記収容部の第一側壁には、前記収容部を前記ハウジングの内部空間に連通させる複数の貫通孔が設けられ、前記収容部の第二側壁には、前記収容部を前記電力供給装置の外部空間に連通させる複数の貫通孔が設けられることを特徴とする請求項１に記載の電力供給装置。
【請求項４】
前記電力供給装置はカバーをさらに備え、前記カバーは前記ハウジングに着脱可能に接続され、前記カバーを前記ハウジングに取り付けて前記収容部の開口を覆うことができることを特徴とする請求項１に記載の電力供給装置。
【発明の詳細な説明】
【技術分野】
【０００１】
本発明は、電力供給装置に関するものである。
【背景技術】
【０００２】
サーバーに設置される不揮発性メモリはバッテリによって電力供給されるので、サーバーにバッテリを固定するための固定構造を設置しなければならず、マザーボードによってバッテリに対して充電するので、高いロードのマザーボードにとって電源分配問題が存在する。発熱量が大きいサーバーシステムにとって、電源によってシステム放熱を補助することを望ましい。
【発明の概要】
【発明が解決しようとする課題】
【０００３】
本発明の目的は、前記課題を解決し、収容部にバッテリ又はファンを設置することにより、電力供給又は放熱問題を解決することができる電力供給装置を提供することである。
【課題を解決するための手段】
【０００４】
本発明に係る電力供給装置は、ハウジングを備え、ハウジングの内部には、外部交流電力を異なる直流電力に変換し且つバッテリ充放電制御ユニットを備える電源機能モジュールが設置され、ハウジングには、さらにバッテリ又は少なくとも１つのファンを選択的に設置するための収容部が形成され、収容部にバッテリを設置する場合、バッテリはバッテリ充放電制御ユニットに電気的に接続されて、電源機能モジュールはバッテリに対して充電することができ、バッテリは接続線によって不揮発性メモリに電力供給し、収容部に少なくとも１つのファンを設置する場合、ファンは電源機能モジュールに電気的に接続されて、電源機能モジュールはファンに電力供給する。
【発明の効果】
【０００５】
本発明の電力供給装置に収容部を設置して、収容部に充電可能なバッテリを設置して電源として部品に対して電力供給することにより、電源の電力供給圧力を緩和することができる。又、収容部に少なくとも１つのファンを設置して、電力供給装置の内部素子に対して放熱するとともに、電力供給装置が所在するサーバーシステムに対して補助放熱することができる。
【図面の簡単な説明】
【０００６】
【図１】本発明の実施形態に係る電力供給装置の分解図である。
【図２】図１に示す電力供給装置にバッテリを取り付けたことを示す図である。
【図３】図１に示す電力供給装置にファンを取り付けたことを示すである。
【図４】図１に示す電力供給装置の中のバッテリが電源機能モジュールに接続されたことを示すである。
【図５】図１に示す電力供給装置の中のファンが電源機能モジュールに接続されたことを示すである。
【発明を実施するための形態】
【０００７】
以下、図面を参照して、本発明の実施形態について説明する。
【０００８】
図１〜図３を参照すると、本発明の実施形態に係る電力供給装置１００は、ハウジング１０及びハウジング１０の内部に設置される電源機能モジュール１０１（図４を参照）を備える。ハウジング１０には矩形の収容部２００が設置される。４本のねじでカバー２０１の四角の貫通孔を貫いてハウジング１０に螺合することにより、カバー２０１で収容部２００の開口を覆うことができる。収容部２００の側壁２０６及び底壁には複数の貫通孔が設けられて、収容部２００はハウジング１０の内部に連通される。収容部２００の側壁２０５には複数の貫通孔が設けられて、収容部２００は電力供給装置１００の外部に連通される。
【０００９】
必要に応じて、収容部２００にバッテリ２０２を設置するか又は２つのファン２０３、２０４を設置することができる。収容部２００の対向する２つの側壁２０５、２０６には、２つのファン２０３、２０４を取り付けるためのファン固定孔が設けられる。収容部２００の底壁の貫通孔は、ファン２０３、２０４又はバッテリ２０２の電源線を電源機能モジュール１０１に電気的接続するために用いられる。電源機能モジュール１０１は、既存の電源と同じであり、外部交流電力を異なる直流電力に変換するために用いられる。収容部２００にファンを設置する場合には、ファンの放熱効果を強めるために、カバー２０１を取り付けない。収容部２００にバッテリを設置する場合には、カバー２０１で収容部２００の開口を覆って、バッテリを固定し且つバッテリを保護する。
【００１０】
図４を参照すると、収容部２００にバッテリ２０２を設置する場合、バッテリ２０２の電源線は、収容部２００の底壁の貫通孔を貫いて電源機能モジュール１０１に電気的に接続される。電源機能モジュール１０１はバッテリ充放電制御ユニット１０２を備え、電源機能モジュール１０１はバッテリ２０２に対して充電することができる。バッテリ２０２は、接続線によってサーバーのマザーボードの不揮発性メモリ３０１に接続されて、不揮発性メモリ３０１に電力を供給する。
【００１１】
図５を参照すると、収容部２００の両側に２つのファン２０３、２０４を設置する場合、ファン２０３及びファン２０４の電源線は、収容部２００の底壁の貫通孔を貫いて電源機能モジュール１０１に電気的に接続されて電力供給され、電源機能モジュール１０１に対して放熱して、電力供給装置の温度を下げるとともに、システムファン又は電源ファンを補助してシステムに対して放熱することができる。
【００１２】
電力供給装置１００に収容部２００を設置して、収容部２００にバッテリ２０２を設置して電源として特殊部品に対して電力供給することにより、電源の電力供給力を緩和することができる。本実施形態において、特殊部品は不揮発性メモリ３０１である。発熱量が高いサーバーシステムに対して、収容部２００に少なくとも１つのファンを設置することができ、ファンは電力供給装置の内部素子に対して放熱するとともに、システムファン又は電源ファンを補助してシステムに対して放熱することができる。
【符号の説明】
【００１３】
１０  ハウジング
１００  電力供給装置
１０１  電源機能モジュール
１０２  電池充放電制御ユニット
２００  収容部
２０１  カバー
２０２  バッテリ
２０３，２０４  ファン  
２０５，２０６  側壁
３０１  不揮発性メモリ
【図１】
0005638685.tif 000002
【図２】
0005638685.tif 000003
【図３】
0005638685.tif 000004
【図４】
0005638685.tif 000005
【図５】
0005638685.tif 000006